(57)【要約】【課題】  パチンコ機の外観イメージをコストを掛けずに、且つ容易に一新させる。【解決手段】  前面に模様２１が形成された装飾パネル１９に係止ピン２７、回動レバー３０、及び貫通穴１９ａを設ける。扉本体１８に係合穴２８ａが形成された係止片２８、インサートピン２４、模様露呈開口５ｂを設ける。装飾パネル１９の係止ピン２７を扉本体１８の係合穴２８に挿通させ、扉本体１８に対して装飾パネル１９を回動させると扉本体１８のインサートピン２４が装飾パネル１９の貫通穴１９ａに挿通される。回動レバー３０を回動させ、回動レバー３０の切り欠き３０ａをインサートピン２４の溝２４ａに係合させると、装飾パネル１９が扉本体１８に固定される。これにより扉本体１８の模様露呈開口５ｂから装飾パネル１９の模様２１が露呈される。【選択図】        図２
2005118217.tif 000002
【特許請求の範囲】
【請求項１】
遊技領域を有する本体基部と、この本体基部に開閉自在に取り付けられる前面扉とを備えたパチンコ機において、
前記前面扉は、前記遊技領域を少なくとも視認可能にする開口部が形成された扉本体と、装飾パターンが施され、且つ前記遊技領域を視認可能にした装飾パネルとから構成され、
前記扉本体に、前記装飾パネルが着脱自在に取り付けられることを特徴とするパチンコ機。
【請求項２】
前記扉本体と前記装飾パネルとは、何れか一方に設けられた係止ピンと他方に設けられた係合穴との係合により構成されるヒンジにより連結されていることを特徴とする請求項１記載のパチンコ機。
【請求項３】
前記装飾パネルを、前記扉本体から取り外し不可に固定するロック機構を前記前面扉に設けたことを特徴とする請求項１又は２記載のパチンコ機。
【請求項４】
前記装飾パネルの少なくとも一部は透光性を有することを特徴とする請求項１ないし３のいずれか１つに記載のパチンコ機。
【請求項５】
前記扉本体に前記装飾パネルを扉本体の裏側から取り付け、前記前面扉を閉じた際に、前記開口部から前記装飾パターンを露呈させることを特徴とする請求項１ないし４のいずれか１つに記載のパチンコ機。
【請求項６】
前記扉本体の少なくとも一部は透光性を有し、前記装飾パネルが扉本体の裏側から取り付けられ、前記前面扉を閉じた際に、前記装飾パターンが扉本体の透光性を有する箇所によって覆われることを特徴とする請求項１ないし４のいずれか１つに記載のパチンコ機。    
【請求項７】
前記装飾パネルに装飾パターンが施されたシールを貼り付けたことを特徴とする請求項１ないし６のいずれか１つに記載のパチンコ機。
【請求項８】
前記扉本体を閉じた際に前記開口部を遮蔽する透明板付き扉を、扉本体に着脱自在に取り付け、前記透明板付き扉で装飾パネルを保持することを特徴とする請求項１ないし７のいずれか１つに記載のパチンコ機。
【発明の詳細な説明】
【技術分野】
【０００１】
本発明は、パチンコ店等の遊技場に設置して使用されるパチンコ機に関するものである。
【背景技術】
【０００２】
遊技場に設置されるパチンコ機は、本体基部内に遊技盤が着脱自在に配設されており、その遊技盤の前面には開閉自在な前面扉が設けられている。このようなパチンコ機では遊技場に設置されている状態で、且つ前面扉が施錠装置によって閉じられているときには、何人もパチンコ機の内部の遊技盤や電子機器等には触れることができないようになっている。前面扉は、演出用のランプ（例えばＬＥＤ素子等）やスピーカ等が取り付けられ、その中央に開口が形成された扉本体と、この扉本体に回動自在に取り付けられ、前面扉を閉じた際、前記開口を遮蔽するとともに、遊技盤に形成された遊技領域を覆うガラスなどの透明板付き扉とから構成されている。また、前面扉の表面には、パチンコ機の見栄えを良くするためにメッキ塗装や印刷などの様々な装飾が施されている。
【発明の開示】
【発明が解決しようとする課題】
【０００３】
しかしながら、上述した前面扉の装飾は、扉本体に直接印刷や塗装が施されているため、遊技内容の変更に伴う遊技盤面の交換を行う際に、外観のデザイン変更を行う場合には、前面扉ごと全て交換しなけらばならなかった。前面扉には機種に関わらない共通部品が多く使用されているため、前面扉ごと全て交換してしまうと、共通部品をリユースできなくなり、デザイン変更に伴うコストが高くなってしまうという欠点があった。また、前面扉が重いことから交換作業に手間取ってしまうという欠点もあった。
【０００４】
本発明は、上記課題を解決するためになされたものであり、パチンコ機の外観のデザイン変更を行うにあたって、パチンコ機の外観イメージをコストを掛けずに、且つ容易に一新させることができるようにしたパチンコ機を提供することを目的とする。
【課題を解決するための手段】
【０００５】
上記目的を達成するために、本発明のパチンコ機は、遊技領域を有する本体基部と、この本体基部に開閉自在に取り付けられる前面扉とを備えたものであり、前記前面扉は、前記遊技領域を少なくとも視認可能にする開口部が形成された扉本体と、装飾パターンが施され、且つ前記遊技領域を視認可能にした装飾パネルとから構成され、前記扉本体に、前記装飾パネルが着脱自在に取り付けられたものである。
【０００６】
また、前記扉本体と前記装飾パネルとは、何れか一方に設けられた係止ピンと他方に設けられた係合穴との係合により構成されるヒンジにより連結されていることが好ましい。
【０００７】
また、前記装飾パネルを、前記扉本体から取り外し不可に固定するロック機構を前記前面扉に設けることが好ましい。
【０００８】
また、前記装飾パネルの少なくとも一部は透光性を有することが好ましい。
【０００９】
また、前記扉本体に前記装飾パネルを扉本体の裏側から取り付け、前記前面扉を閉じた際に、前記開口部から前記装飾パターンを露呈させることが好ましい。
【００１０】
また、前記扉本体の少なくとも一部は透光性を有し、前記装飾パネルが扉本体の裏側から取り付けられ、前記前面扉を閉じた際に、前記装飾パターンが扉本体の透光性を有する箇所によって覆われることが好ましい。
【００１１】
また、前記装飾パネルに装飾パターンが施されたシールを貼り付けることが好ましい。      
【００１２】
また、前記扉本体を閉じた際に前記開口部を遮蔽する透明板付き扉を、扉本体に着脱自在に取り付け、前記透明板付き扉で装飾パネルを保持することが好ましい。
【発明の効果】
【００１３】
本発明のパチンコ機によれば、扉本体に、装飾パターンが施された装飾パネルを着脱自在に取り付けたので、パチンコ機の外観のデザイン変更をコストを掛けることなく容易に行うことができる。
【００１４】
また、扉本体と装飾パネルとを、係止ピンと係合穴との係合により構成されるヒンジにより連結したので、装飾パネルの扉本体への取り付け取り外しを容易に行うことができる。
【００１５】
また、装飾パネルを、前記扉本体から取り外し不可に固定するロック機構を前面扉に設けたので、装飾パネルを所定箇所に確実に設置させることができ、また、装飾パネルのガタツキや揺れを防止することができる。
【００１６】
また、装飾パネルの少なくとも一部を透光性を有するようにしたので、装飾パネルの透光性を有する箇所を通して装飾パネルの裏側に位置するように扉本体、又は遊技盤などに設けられたＬＥＤ発色光を視認することができる。
【００１７】
また、扉本体の少なくとも一部は透光性を有し、装飾パネルが扉本体の裏側から取り付けられ、前面扉を閉じた際に、装飾パターンが扉本体の透光性を有する箇所によって覆われるようにしたので、装飾パネルに施された装飾パターンの剥離や劣化を防止することができる。
【００１８】
また、装飾パターンを施したシールを装飾パネルに貼り付けたので、装飾パターンをコストを掛けずに容易に交換することができる。さらに部分的なデザイン変更も容易に行うことができる。
【発明を実施するための最良の形態】
【００１９】
図１に示すように、パチンコ機２の本体基部３の内部には遊技盤４が配設されており、遊技盤４の前面には、前面扉５が開閉自在に設けられている。この前面扉５はヒンジ６によって本体基部３に着脱自在で且つ回動自在に取り付けられている。前面扉５の中央には遊技領域用開口５ａが形成されており、この遊技領域用開口５ａは前面扉５の裏側に取り付けられるガラス（透明板）付き扉６（図２参照）のガラス板７により遮蔽されている。
【００２０】
前面扉５の下方には、打球供給用の供給皿８及びパチンコ球の打ち出し強さを調節する操作ハンドル９が設けられている。遊技者は、供給皿８にパチンコ球を投入し、操作ハンドル９を操作して遊技盤４上に供給されたパチンコ球を打ち出す。前面扉５が閉じている状態であるときには、遊技者や遊技場の作業者は、前面扉５の裏側に取り付けられたガラス板７を介して遊技盤４の遊技領域４ａ（図１に図示）及び遊技領域４ａ上を流下していくパチンコ球を見ることはできるが、遊技盤４にはもちろんのこと内部の電子機器（図示せず）にも触れることはできないようになっている。
【００２１】
遊技盤４上にはガイドレールに囲まれた遊技領域４ａが形成され、図柄表示装置１１、始動入賞口１２、通常入賞口１３、アタッカ１４、アウト口１５が配設されている。また、遊技領域４ａには、図示を省略した、釘、風車などが設けられている。これらの構造物は公知であるので説明は省略する。前面扉５を開放することで、遊技場の作業者がこれらの構造物の調整などを行うことができるようになる。
【００２２】
図２に示すように、前面扉５は、扉本体１８、装飾パネル１９、及びガラス付き扉６から構成されている。扉本体１８は、矩形状の開口部２０が形成された枠体である。開口部２０は、遊技領域４ａを視認可能にする遊技領域用開口５ａと、遊技領域用開口５ａの周囲に装飾パネル１９の模様２１（装飾パターン）を露呈させる模様露呈開口５ｂとから構成される。開口部２０の中央には、扉本体１８と一体に円環状のフレーム２２が形成されており、このフレーム２２によって円形状の遊技領域用開口５ａが形成される。また、扉本体１８の内周面１８ａとフレーム２２の外周面２２ａとによって、開口部２０の上下２箇所に模様露呈開口５ｂが形成される。なお、フレーム２２は、後述するガラス付き扉６の保持枠２３に対応するように形成されており、フレーム２２の内径は保持枠２３の内径に一致するように設計されている。
【００２３】
扉本体１８の背面の一側部の上下２箇所には開口部２０内部に向けて突出片１８ｂが形成されており、この突出片１８ｂの裏側には円柱状のインサートピン２４が突設されている。インサートピン２４の先端付近には、周方向に円環状の溝２４ａが形成されている。このインサートピン２４は、装飾パネル１９に形成された円形の貫通穴１９ａに挿通される。なお、貫通穴１９ａは横長に形成しても良く、これによりインサートピン２４の貫通穴１９ａへの挿入が容易になる。
【００２４】
扉本体１８の上部には演出用のランプ２５が設けられている。扉本体１８の前面にはスピーカ２６が設けられている。ランプ２５とスピーカ２６は、電気的接続線となるハーネス（不図示）を介して、本体基部３内部に備えられたパチンコ機２の作動制御を行っている制御回路装置（不図示）に接続されている。
【００２５】
装飾パネル１９は透明な樹脂によって成形された板であり、中央にはガラス付き扉６の保持枠２３の外径よりもやや大きな開口１９ｂが形成されている。装飾パネル１９の前面には外観デザインを綺麗にするため、又は遊技盤面のデザインに合わせて様々な模様２１がマスキング塗装されており、この模様２１は扉本体１８の模様露呈開口５ｂを通して露呈される。
なお、模様２１を塗装のみで形成する必要はなく、模様２１を装飾パネル１９と一体に成形された凹凸やシボ加工などで形成しても良く、また、彫刻によって模様を形成しても良い。また、金型で成形した成形品を模様２１として工業用接着剤などを用いて装飾パネル１９に固着しても良く、このように模様２１は種々の手法で形成することが可能である。
【００２６】
装飾パネル１９の一方の側縁には、係止ピン２７が上下２カ所に設けられている。係止ピン２７は、扉本体１８の背面側部に取り付けられた係止片２８の係合穴２８ａに着脱自在で且つ回動自在に挿通される。このようにしてヒンジ２９は係止ピン２７及び係合穴２８ａにより構成される。
【００２７】
装飾パネル１９の背面の一側部に設けてある貫通穴１９ａの上には回動レバー３０がそれぞれ回動自在に装飾パネル１９に軸着されている。回動レバー３０にはインサートピン２４に形成された溝２４ａに係合可能な半円状の切り欠き３０ａが形成されている。貫通穴１９ａにインサートピン２４を挿通させた後、回動レバー３０を回動させてインサートピン２４の溝２４ａに回動レバー３０の切り欠き３０ａを係合させることにより装飾パネル１９が扉本体１８に固定される。このように装飾パネル１９を扉本体１８に固定するロック機構３１は、扉本体１８のインサートピン２４と、装飾パネル１９の回転レバー３０とによって構成される。
【００２８】
ガラス付き扉６は、装飾パネル１９と同様に、扉本体１８に着脱自在で且つ回動自在に取り付けられる。このガラス付き扉６は、２枚のガラス板７と、これらガラス板７を所定の間隔を空けて保持・固定するための保持枠２３とから構成される。保持枠２３の外周部後端の側縁には、側方にやや突出するようにフランジ２３ａが一体に形成されている。このフランジ２３ａの突出方向側面は垂直に形成されており、この側面の上下２カ所には係止ピン３２が設けられている。係止ピン３２は、扉本体１８の背面の一側部に取り付けられた係止片３３の係合穴３３ａに回動自在に挿通される。
なお、保持枠２３の外周面２３ｂの幅ｔは、フランジ２３ａの厚みに装飾パネル１９の開口１９ｂの厚みを加えた大きさになるように形成されていることが好ましい。これにより前面扉５を組み立てる際に、ガラス付き扉６の保持枠２３を装飾パネル１９の開口１９ｂにスムーズに嵌め込むことが可能となる。装飾パネル１９の開口１９ｂに嵌め込まれた保持枠２３の前面は、扉本体１８のフレーム２２によって隠されるため、ガラス付き扉６のガラス板７のみが外部に露呈される。
また、ガラス付き扉６を構成するガラス板７は２枚に限定する必要はなく、複数枚から形成しても良い。また、ガラス板７の隙間を空けるようにしたが、隙間を空けずに保持するようにしても良い。
【００２９】
次に、このようにして構成されたパチンコ機の作用について説明する。遊技盤４が配設された本体基部３に扉本体１８を取り付ける。次に、扉本体１８の係合穴２８ａに装飾パネル１９の係止ピン２７を挿通させる。扉本体１８のインサートピン２４を装飾パネル１９の貫通穴１９ａに挿通させ、その後、回動レバー３０を回動させてインサートピン２４の溝２４ａを回動レバー３０の切り欠き３０ａで係止する。このようにして装飾パネル１９の自由な回動が規制されることにより扉本体１８から取り外し不可となり、装飾パネル１９が扉本体１８に固定される。
【００３０】
次に、扉本体１８の係合穴３３ａにガラス付き扉６の係止ピン３２を挿通させる。扉本体１８に対してガラス付き扉６を回動させながら、保持枠２３を装飾パネル１９の開口１９ｂに嵌め込む。このようにして組み立てられた前面扉５を閉じ状態にすると、図１に示すように、前面扉５の遊技領域用開口５ａからは遊技領域４ａが露呈されて、模様露呈開口５ｂからは装飾パネル１９に形成された模様２１が露呈される。また、装飾パネル１９は透明な樹脂によって成形されているので、本体基部３の前面方向に対し発光させるＬＥＤが遊技盤や装飾パネル１９の背面や、あるいはその他装飾パネル１９よりも後方の部分に設けられている場合には、装飾パネル１９を通してＬＥＤの発色光を視認することができる。
【００３１】
前面扉５のデザイン変更を行う場合、まず、本体基部３に軸支されている前面扉５を回動させて開放状態とし、ガラス付き扉６を回動させ、装飾パネル１９の開口１９ｂと、ガラス付き扉６の保持枠２３との嵌合状態を解く。次に装飾パネル１９の回動レバー３０を回動させ、回動レバー３０の切り欠き３０ａと、インサートピン２４の溝２４ａとの係合状態を解く。ヒンジ２９によって装飾パネル１９を回動させ、貫通穴１９ａからインサートピン２４を抜く。そして装飾パネル１９を上方に持ち上げて、扉本体１８の係合穴２８ａと、装飾パネル１９の係止ピン２７との係合状態を解き、装飾パネル１９を扉本体１８から取り外す。新しい模様が形成された装飾パネル１９を上記で説明したような手順で扉本体１８に取り付ける。そして、図１に示すように、前面扉５を閉じ状態にすると、扉本体１８の模様露呈開口５ｂからは新しい模様が露呈される。
【００３２】
以上のように、装飾パネル１９を扉本体１８に着脱自在に取り付けることによってパチンコ機２の外観のデザインを容易に一新させることができる。また、ランプ２５やスピーカ２６などを扉本体１８に据え置きした状態でデザイン変更が行われるので、コストの低廉化を図ることができる。
【００３３】
上記実施形態では、扉本体１８に、模様２１を露呈するための模様露呈開口５ｂを設けたが、図３に示すように、図中のハッチング箇所、すなわち図２に示す模様露呈開口５ｂの箇所を扉本体１８と一体になるように透明な樹脂によって成形しても良い。これにより、扉本体１８の透明に成形した箇所（透光性を有する箇所）が装飾パネル１９の模様２１を覆うので、模様２１の剥離や劣化を防ぐことができる。なお、この場合、インサートピン２４は、透明に成形した箇所に取り付けられる。
【００３４】
上記実施形態では、装飾パネル１９の模様２１をマスキング塗装によって形成したが、これに限ることなく、模様２１が印刷されたシールを装飾パネル１９に貼り付けても良いし、装飾パネル１９に直接的に印刷するようにしても良い。この場合、例えば、模様２１はカラー印刷機などで作成すれば良く、これにより模様２１をローコストで、且つ容易に交換することができる。また、装飾パネル１９に施される模様２１の一部分だけを上述したようなシールによって形成しておくことで、部分的なデザイン変更も容易に行うことができ、また、シールの交換によって装飾パネル１９を共通化できる。
【００３５】
上記実施形態では、インサートピン２４と回動レバー３０とからロック機構３１が構成されたが、これに限ることなく、例えば、図４に示すように、ロック機構３１として扉本体の背面上部に板状に形成された回動片３７を回動自在に取り付け、装飾パネル１９を扉本体１８に対して回動させて閉じ状態にした後に、回動片３７を図中矢印方向に回動させて装飾パネル１９の背面を抑え、装飾パネル１９の後方への回動を規制し固定するようにしても良い。このようにロック機構３１は装飾パネル１９の自由移動を禁止し、装飾パネル１９を扉本体１８に固定するように構成されていれば良く、その形態は前面扉５の構造に合わせて適宜に決定すれば良い。
【００３６】
上記実施形態では、装飾パネル１９に係止ピン２７を設け、扉本体１８に係止ピン１９が挿通される係合穴２８ａを設け、係止ピン２７と係合穴２８ａとからヒンジ２９を構成したが、扉本体１８に係止ピン２７を設け、装飾パネル１９に係合穴２８ａを設けるようにしても良い。この場合、係止ピン２７を上方に向けて設置すれば良く、装飾パネル１９を扉本体１８に取り付ける際には、この係止ピン２７に装飾パネル１９の係合穴２８ａを引っ掛けるようにすれば良い。
【００３７】
上記実施形態では、ガラス付き扉６を装飾パネル１９の背面側に配置したが、ガラス付き扉６を、扉本体１８と装飾パネル１９とで挟むようにして装飾パネル１９の前面側に配置するようにしても良い。この場合、装飾パネル１９の係止ピン２７が扉本体１８の係合穴２８ａに係合し、且つガラス付き扉６の係止ピン３２が扉本体１８の係合穴３３ａに係合するように、係止ピン２７、３２、及び係合穴２８ａ、３３ａの設置箇所を適宜調整すれば良い。
【００３８】
次に本発明の別の実施形態について説明する。なお、上記実施形態と同様の構成部材については同一の符号を付し、その詳細な説明は省略する。
図５に示すように、前面扉５は、扉本体１８、装飾パネル１９、及びガラス付き扉６から構成される。扉本体１８の略中央には、円形状の開口３８が形成されており、この開口３８にガラス付き扉６の保持枠２３が嵌め込まれる。扉本体１８の前面及び背面の一側部にはそれぞれ係止片２８、３３が設けられている。扉本体１８の前面の係止片２８には係合穴２８ａが、扉本体１８の背面の係止片３３には係合穴３３ａが形成され、装飾パネル１９の係止ピン２７が係合穴２８ａに挿通され、ガラス付き扉６の係止ピン３２が係合穴３３ａに挿通される。扉本体１８の背面の他方となる一側部の上下２箇所には貫通穴３９が形成されており、この貫通穴３９には装飾パネル１９の背面の一側部に設けられたインサートピン２４が挿通される。貫通穴３９の上には回動レバー３０が設けられている。この回動レバー３０によって貫通穴３９に挿通されたインサートピン２６が係止される。
【００３９】
装飾パネル１９の略中央には、ガラス付き扉６のガラス板７を通して遊技領域４ａを可視可能にする円形状の開口１９ｂが設けられている。装飾パネル１９の上部には扉本体１８のスピーカ２６が挿通されるスピーカ用貫通穴４０が形成されており、装飾パネル１９が扉本体１８の前面に取り付けられた際には、このスピーカ用貫通穴４０を通してスピーカ２６が装飾パネル１９の前面に露呈される。
【００４０】
このようにして構成することで、前面扉５全体を回動させずに、装飾パネル１９の取り付け、取り外し作業を行うことができるようになる。したがって、前面扉５のデザイン変更をより一層簡便に行いたい場合には、上述したように装飾パネル１９を扉本体１８の前面に取り付けるようにすれば良い。
【００４１】
なお、上述した２つの実施形態では、扉本体１８にガラス付き扉６が着脱自在に取り付けられているが、これに限ることなく、扉本体１８とガラス付き扉６とを一体にして構成しても良い。
【図面の簡単な説明】
【００４２】
【図１】本発明を採用したパチンコ機の外観を示す概略斜視図である。
【図２】前面扉の背面側分解斜視図である。
【図３】図２に示した前面扉の変形例を示す前面扉の背面側分解斜視図である。
【図４】更に別の変形例を示す前面扉の背面側分解斜視図である。
【図５】本発明の別の実施形態を示す前面扉の背面側分解斜視図である。
【符号の説明】
【００４３】
２  パチンコ機
３  本体基部
４  遊技盤
４ａ  遊技領域
５  前面扉
５ａ  遊技領域用開口
５ｂ  模様露呈開口
６、２９  ヒンジ
８  装飾パネル
１８  扉本体
１９  装飾パネル
１９ａ  貫通穴
２０  開口部
２１  模様（装飾パターン）
２４  インサートピン
２４  溝
２７  係止ピン
２８ａ  係合穴
２９  ヒンジ
３０  回動レバー
３０ａ  切り欠き
３１  ロック機構
【図１】
2005118217.tif 000003
【図２】
2005118217.tif 000004
【図３】
2005118217.tif 000005
【図４】
2005118217.tif 000006
【図５】
2005118217.tif 000007